(57)【要約】      （修正有）【課題】撮像素子とこれが取り付けられるベースとの線膨張係数の差によって生じるずれを吸収することが出来る撮像素子の取付構造を提供すること。【解決手段】撮像素子としてのＣＣＤ１１はベースとしてのブラケット１３に対して接続部としての接続ブロック１４を介して取り付けられる。接続ブロック１４は、そのＸＹ方向の固定部位にフレクチャ部を有する。フレクチャ部１４は、ＣＣＤ１１とブラケット１３との間の線膨張係数の差によって生じるずれを吸収する。【選択図】      図１
2007311943.tif 000002
【特許請求の範囲】
【請求項１】
撮像素子をベースに取り付ける取付構造であって、
前記撮像素子と前記ベースとをフレクチャ部を有した接続部を介して取り付けることを特徴とする撮像素子の取付構造。
【請求項２】
請求項１に記載の撮像素子の取付構造において、
前記フレクチャ部は、前記撮像素子と前記ベースとの間の線膨張係数の差によって生じる、前記撮像素子と前記ベースとのずれを吸収するように構成されていることを特徴とする撮像素子の取付構造。
【請求項３】
請求項２に記載の撮像素子の取付構造において、
前記接続部は、前記ずれが生じる方向にあるその一端が前記撮像素子に固定され、その他端が前記ベースに固定されていることを特徴とする撮像素子の取付構造。
【請求項４】
請求項１乃至３の何れか一項に記載の撮像素子の取付構造を備えたカメラ。
【発明の詳細な説明】
【技術分野】
【０００１】
本発明は、撮像素子とこの撮像素子が搭載されるベースとの線膨張係数の差によって生じるずれを吸収することが出来る撮像素子の取付構造及びこの取付構造を備えたカメラに関する。
【背景技術】
【０００２】
デジタルスチルカメラ等では、撮影レンズを介してカメラボディ内に入射する光を撮像素子であるＣＣＤ上で結像させており、このためＣＣＤをカメラボディに精度よく配置する必要がある。
【０００３】
ＣＣＤの取付構造については、これまでにも種々の提案がされている。例えば、パッケージに接着剤を用いてＣＣＤを取り付けるようにした取付構造が提案されている（特許文献１）。
【０００４】
【特許文献１】特開２００４−１４７００７号公報
【発明の開示】
【発明が解決しようとする課題】
【０００５】
通常、ＣＣＤを収容するケースとパッケージは構成する材質が異なり、それ故、その線膨張係数も相違しており、製造時にＣＣＤを精度よく位置決めしたとしても、その後の温度変化によりＣＣＤのケースとパッケージが膨張（収縮）して、その何れか一方が凹状に湾曲し他方が凸状に湾曲する。
【０００６】
本発明は、上記事情に鑑みてなされたもので、撮像素子とこれが取り付けられるベースとの線膨張係数の差によって生じるずれを吸収することが出来る撮像素子の取付構造及びこの取付構造を備えたカメラを提供することを目的とする。
【課題を解決するための手段】
【０００７】
上記目的を達成する本発明の請求項１に記載の撮像素子の取付構造は、撮像素子をベースに取り付ける取付構造であって、該撮像素子と該ベースとをフレクチャ部を有した接続部を介して取り付けることを特徴とする。
【０００８】
前記撮像素子としては、ＣＣＤの他にＣＭＯＳセンサも含まれる。
【０００９】
前記ベースには、例えば、撮像素子が取り付けられるボディ（例えば図２中のカメラボディ２１）自身と、撮像素子を該ボディに取り付ける際に撮像素子が搭載されるブラケット（例えば図１中のブラケット１３）とが含まれるが、これに限定されるものではなく、撮像素子が搭載されるあらゆる部材が対象となる。
【００１０】
前記フレクチャ部は、例えば、断面積を他の部分よりも小さく或いは肉厚を薄くなどして、所定方向から作用する力に対して撓みやすく形成した部位をいう。
【００１１】
請求項２に記載の撮像素子の取付構造は、前記フレクチャ部が、前記撮像素子と前記ベースとの間の線膨張係数の差によって生じる、前記撮像素子と前記ベースとのずれを吸収するように構成されていることを特徴とする。
【００１２】
請求項３に記載の撮像素子の取付構造は、前記接続部が、前記ずれが生じる方向にあるその一端が前記撮像素子に固定され、その他端が前記ベースに固定されていることを特徴とする。
【００１３】
請求項４に記載のカメラは、請求項１乃至３の何れか一項に記載の撮像素子の取付構造を備えたことを特徴とする。
【発明の効果】
【００１４】
本発明の撮像素子の取付構造によれば、フレクチャ部により撮像素子とこれが取り付けられるベースとのずれを吸収するので、撮像素子の湾曲が生じることがなく、またこの湾曲によって撮像素子やベースに対して機械的な負荷を与えることもない。
【００１５】
また、本発明のカメラによれば、請求項１乃至３の何れか一項に記載の撮像素子の取付構造を採用しているので、画像品質がよく、またカメラボディ、撮像素子に対して機械的な負荷を与えることもない。
【発明を実施するための最良の態様】
【００１６】
以下本発明の撮像素子の取付構造及びこの取付構造を採用したカメラの実施態様について図１乃至図４を参照して説明する。
【００１７】
図１は本発明の撮像素子の取付構造の一実施態様を示す拡大斜視図、図２はこの撮像素子の取付構造１０を備えたデジタルスチルカメラ２０の概略を示す全体構成図である。
【００１８】
先ず、デジタルスチルカメラ２０の概略について説明する。図２に示すように、カメラボディ２１の前面側には撮影レンズ２２が交換可能に装備され、このカメラボディ２１の内部であって撮影レンズ２２の後方（カメラボディ２１の背面側内方）には撮像素子としてのＣＣＤ１１が取付構造１０により位置決めされて固定されている。撮影レンズ２１とＣＣＤ１１との間の光路にはクイックリターンミラー２３が配置される。このクイックリターンミラー２３は、シャッタ２５が閉じているときは光路上にあって、撮影レンズ２１を介して入射した光を反射させてプリズム２５を介してファインダ光学系２６に導き、シャッタ２５が開いたとき跳ね上がり、撮影レンズ２１を介して入射した光をＣＣＤ１１に導く。
【００１９】
次に、取付構造１０について詳細に説明する。図１に示すように、ＣＣＤ１１は、例えば、一側面が開口した、合成樹脂（エポキシ樹脂）製の方形箱形状ケース１２内に収容されている。ＣＣＤ１１の複数の端子１１ａが、ケース１２の各辺の底面から側面にかけて延び、ＣＣＤ駆動・制御回路（図示せず）などに接続される。ケース１２は、ブラケット１３上に搭載され、このブラケット１３を介してカメラボディ２１に固定される。ブラケット１３は、例えばアルミニウム或いはアルミニウム合金製で、ケース１２の各辺に沿ってスリット１３ａが設けられ、このスリット１３ａを介して端子１１ａがブラケット１３の一方の面側に突出する。また、ブラケット１３にはその周辺部に複数の取付孔１３ｂが設けられ、これら取付孔１３ｂからネジなどの固定手段を挿入してブラケット１３がボディ２１に固定される。
【００２０】
ケース１２は、その各辺（図１のＹ軸方向にある２辺と、Ｘ軸方向にある２辺の合計４辺）の所定箇所がブラケット１３に接続部としての接続ブロック１４を介して取り付けられる。接続ブロック１４は、例えば、合成樹脂製で、ケース１２とは別体で、図３に示すように、ケース１２に接着剤などで固定される固定部位１４ａと、ブラケット１３に同様に接着剤などで固定される固定部位１４ｂと、これら固定部位１４ａ、１４ｂとの間に配置される、他の箇所よりも肉厚を薄く形成したフレクチャ部１４ｃとを有する。固定部位１４ａと固定部位１４ｂは、温度変化によるケース１２、ブラケット１３の膨張、収縮に伴って作用する力の方向（例えば図１のＸ、Ｙ軸方向参照）上の一端側と他端側にそれぞれ位置し、接続ブロック１４がこの力を受けるようにしてある。図１のＹ軸方向にあるケース１２の２辺にそれぞれ配置された接続ブロック１４のフレクチャ部１４ｃは、Ｙ軸方向において肉厚が薄くなっているから、Ｙ軸方向に作用する力により容易に撓むが、Ｘ軸、Ｚ軸方向の力に対しては殆ど撓まない。また、図１のＸ軸方向にあるケース１２の２辺にそれぞれ配置された接続ブロック１４のフレクチャ部１４ｃは、Ｘ軸方向において肉厚が薄くなっているから、Ｘ軸方向に作用する力により容易に撓むが、Ｙ軸、Ｚ軸方向の力に対しては殆ど撓まない。
【００２１】
本実施態様ではケース１２が合成樹脂（エポキシ樹脂）製であるのに対し、ブラケット１３がアルミニウム或いはアルミニウム合金製で、両者の線膨張係数は相違する。したがって、ケース１２を、ブラケット１３を介してボディ２１に取り付けて位置決めするカメラ組立時の周囲温度から変化した状況、すなわち、組立時の温度よりも低くなった場合や高くなった場合には、両者が共に同じ量だけ膨張したり収縮したりすることがなく、線膨張係数の差に起因して膨張量、収縮量に差があり、ケース１２とブラケット１３との間でずれが生じようとするが、前述したように固定部位１４ａと固定部位１４ｂは、ケース１２とブラケット１３から接続ブロック１４に作用する力の方向上の一端側と他端側にあることから、フレクチャ部１４ｃが撓んで、ずれを吸収してしまう。この結果、ＣＣＤ１１が位置決めされた箇所から位置ずれを起こすことがなく、またケース１２やブラケット１３が凹状、凸状に湾曲することがなく、ＣＣＤ１１，ボディ２１に機械的な負荷が作用することもない。
【００２２】
図１、図３では、接続ブロック１４をケース１２と別体に形成した場合を示したが、両者を一体に形成することも可能である。一体にした場合、ブラケット１３への取付時、固定部位１４ｂを固定するだけでよく、手間がかからず、取付作業時間の短縮が図れ、また取付構造１０の部品点数を減らすことができ、コストダウンを図ることが可能となる。
【００２３】
図４は、接続ブロックの別の実施態様を示す。
【００２４】
この実施態様では、接続ブロック１４０に、図４のＸ軸方法に沿ってスリットを２個互い違いで且つ平行に入れてフレクチャ部１４０ｃを形成し、接続ブロック１４０を、Ｙ軸方向で容易に撓むように形成してある。Ｙ軸方向の一端側にある接続ブロック１４０の固定部位１４０ａをケース１２に固定し、他端側にある接続ブロック１４０の固定部位１４０ｂをブラケット１３に固定することにより、Ｙ軸方向の力が作用したとき、接続ブロック１４０がＹ軸方向に収縮（拡張）するように撓んで、ケース１２とブラケット１３とのずれを吸収することが出来る。なお、この接続ブロック１４０は、前述のようにＹ軸方向の力に対しては容易に撓むが、Ｘ軸、Ｚ軸方向の力に対しては殆ど撓まない。
【００２５】
接続ブロック１４０に、Ｙ軸方法に沿ってスリットを２個互い違いで且つ平行に入れてこれをフレクチャ部１４０ｃを形成した場合には、Ｘ軸方向に作用する力で容易に撓むが、Ｙ軸、Ｚ軸方向の力に対しては殆ど撓まない。
【００２６】
接続ブロック１４、１４０については、図３、図４に示す形状のものに限定されるのではなく、要はケース１２とブラケット１３のずれを吸収するフレクチャ部１４ｃ、１４０ｃを有するものであれば、どのような形状であってもよい。
【００２７】
前述した実施態様では、ブラケット１３を介してＣＣＤ１１（ケース１２）をボディ２１に取り付ける場合について説明したが、ブラケット１３を省略し、ＣＣＤ１１（ケース１２）を、接続ブロック１４を介して直接ボディ２１に取り付けるようにしてもよい。
【図面の簡単な説明】
【００２８】
【図１】本発明の撮像素子の取付構造の一実施態様を示す拡大斜視図である。
【図２】撮像素子の取付構造１０を備えたデジタルスチルカメラ２０の概略を示す断面図である。
【図３】図１の取付構造の部分拡大斜視図である。
【図４】接続ブロックの別の実施態様を示す拡大斜視図である。
【符号の説明】
【００２９】
１０              取付構造
１１              ＣＣＤ（撮像素子）
１２              ケース
１３              ブラケット
１４、１４０      接続ブロック（接続部）
１４ａ、１４０ａ  固定部位
１４ｂ、１４０ｂ  固定部位
１４ｃ、１４０ｃ  フレクチャ部
２０              カメラ
２１              ボディ
【図１】
2007311943.tif 000003
【図２】
2007311943.tif 000004
【図３】
2007311943.tif 000005
【図４】
2007311943.tif 000006